(57)【要約】【課題】  プレビュー表示機能を改良した情報記録再生装置を提供する。【解決手段】  ディスクに記録した映像データを含む１つ以上の番組データを再生する装置は、ディスクに記録した１つ以上の番組データのうちから所望の番組データを特定すると、特定した番組データに予め当てられているジャンルを特定する（Ｓ３、Ｓ４）。そして特定したジャンルについて予め記録されたプレビュー指定データに基づき、指定された番組データの映像データの一部を構成する画像のデータを、プレビュー画像として編集すして、表示する（Ｓ５、Ｓ６）。したがって、ディスクに記録されて指定された番組データについて表示されるプレビュー画像は、該番組データに当てられたジャンルについて指定されているプレビュー指定データに基づき編集される。【選択図】        図２
2005339596.tif 000002
【特許請求の範囲】
【請求項１】
記録媒体に記録した映像データを含む１つ以上のデータ群を再生する情報記録再生装置であって、
前記記録媒体に記録した１つ以上のデータ群のうちから指定されたデータ群に予め当てられているジャンルを特定するジャンル特定手段と、
前記ジャンル特定手段によって特定されたジャンルについて予め記録されたプレビュー指定データに基づき、前記指定されたデータ群の前記映像データの一部を構成する画像のデータを、表示のためのプレビュー画像として編集するプレビュー編集手段と、
外部からの操作に基づき、前記ジャンル毎に前記プレビュー指定データを記録するプレビュー記録手段とを備え、
前記プレビュー記録手段は、前記情報記録再生装置のユーザのそれぞれに対応して、前記ジャンル毎に前記プレビュー指定データを記録するユーザプレビュー記録手段を含み、
プレビュー編集手段は、現在装置を使用しているユーザに対応して、前記ジャンル特定手段によって特定されたジャンルについて予め記録されたプレビュー指定データに基づき、前記指定されたデータ群の前記映像データの一部を構成する画像のデータを、前記プレビュー画像として編集するユーザプレビュー編集手段を含み、
前記プレビュー画像は動画または静止画の画像であり、
前記データ群には、前記ジャンルは外部からの操作により当てられるか、または前記データ群が放送番組のデータ群である場合には、放送される電子番組ガイドに基づき該放送番組について特定された前記ジャンルが当てられて、
前記プレビュー指定データは、前記データ群のリジュームポイントを指すデータを含む、情報記録再生装置。
【請求項２】
記録媒体に時系列に記録した映像データを含む１つ以上のデータ群を再生する情報記録再生装置であって、
前記記録媒体に記録した１つ以上のデータ群のうちから指定されたデータ群に予め当てられているジャンルを特定するジャンル特定手段と、
前記ジャンル特定手段によって特定されたジャンルについて予め記録されたプレビュー指定データに基づき、前記指定されたデータ群の前記映像データの一部を構成する画像のデータを、表示のためのプレビュー画像として編集するプレビュー編集手段とを備える、情報記録再生装置。
【請求項３】
外部からの操作に基づき、前記ジャンル毎に前記プレビュー指定データを記録するプレビュー記録手段をさらに備える、請求項１に記載の情報記録再生装置。
【請求項４】
前記プレビュー記録手段は、前記情報記録再生装置のユーザのそれぞれに対応して、前記ジャンル毎に前記プレビュー指定データを記録するユーザプレビュー記録手段を含み、
プレビュー編集手段は、現在装置を使用しているユーザに対応して、前記ジャンル特定手段によって特定されたジャンルについて予め記録されたプレビュー指定データに基づき、前記指定されたデータ群の前記映像データの一部を構成する画像のデータを、前記プレビュー画像として編集するユーザプレビュー編集手段を含む、請求項３に記載の情報記録再生装置。
【請求項５】
前記プレビュー画像は動画または静止画の画像であることを特徴とする、請求項２から４のいずれか１項に記載の情報記録再生装置。
【請求項６】
前記データ群には、前記ジャンルは外部からの操作により当てられることを特徴とする、請求項２から５のいずれか１項に記載の情報記録再生装置。
【請求項７】
前記データ群が放送番組のデータ群である場合には、放送される電子番組ガイドに基づき該放送番組について特定された前記ジャンルが当てられることを特徴とする、請求項２から５のいずれか１項に記載の情報記録再生装置。
【請求項８】
前記プレビュー指定データは、前記データ群のリジュームポイントを指すデータを含むことを特徴とする、請求項２から７のいずれか１項に記載の情報記録再生装置。
【請求項９】
予め準備された記録媒体に記録した映像データを含む１つ以上のデータ群を再生する情報記録再生方法であって、
前記記録媒体に記録された１つ以上のデータ群のうちから指定されたデータ群に予め当てられているジャンルを特定するジャンル特定ステップと、
前記ジャンル特定ステップによって特定されたジャンルについて予め記録されたプレビュー指定データに基づき、前記指定されたデータ群の前記映像データの一部を構成する画像のデータを、表示のためのプレビュー画像として編集するプレビュー編集ステップとを備える、情報記録再生方法。
【発明の詳細な説明】
【技術分野】
【０００１】
この発明は情報記録再生装置および方法に関し、特に、ディスクに記録された各データ群をジャンル分けしてプレビュー表示可能な情報記録再生装置および方法に関する。
【背景技術】
【０００２】
ディスクなどの記録媒体に予め記録された放送番組データなどのデータ群を全体を視聴する前に試し見のためにプレビュー表示する技術としてたとえば特許文献１〜３が提案されている。
【０００３】
特許文献１では、映像の中でユーザが視聴した部分の全体に占める割合（データ量、時間率）をプレビュー率として算出してプレビュー率が予め設定されたしきい値より大きくなったときに再生を制限する機能が提供されている。
【０００４】
特許文献２では、コンテンツと、該コンテンツのプレビューのためのデータとを対応付けて蓄積しておくことで、ユーザは必要なときにプレビューを視聴することができるとの機能が提供されている。
【０００５】
特許文献３では、チャプターよりもさらに小さな単位で、この単位はユーザが任意に決定できるような単位であって、その記録内容を確認できるようなプレビュー表示システムが提供されている。
【特許文献１】特開２００３−１７４６３９号公報
【特許文献２】特開２００２−３３５５０４号公報
【特許文献３】特開２００１−３２６９１０号公報
【発明の開示】
【発明が解決しようとする課題】
【０００６】
しかしながら、従来から提供されているプレビュー表示機能は、表示の対象となっているコンテンツ（例えば番組データ）のジャンルに拘らず、同一の基準でプレビュー表示のためのデータが作成されるので、コンテンツ（番組）のジャンルによっては、プレビューにより提示された内容では、ユーザは対応のコンテンツは興味あるものかどうかがわからないという使い勝手の悪さがあった。
【０００７】
それゆえにこの発明の目的は、プレビュー表示機能の改良された情報記録再生装置および方法を提供することである。
【課題を解決するための手段】
【０００８】
この発明のある局面に従う、記録媒体に記録した映像データを含む１つ以上のデータ群を再生する情報記録再生装置は、記録媒体に記録した１つ以上のデータ群のうちから指定されたデータ群に予め当てられているジャンルを特定するジャンル特定手段と、ジャンル特定手段によって特定されたジャンルについて予め記録されたプレビュー指定データに基づき、指定されたデータ群の前記映像データの一部を構成する画像のデータを、表示のためのプレビュー画像として編集するプレビュー編集手段とを備える。
【０００９】
したがって、記録媒体に記録されて指定されたデータ群について表示されるプレビュー画像は、該データ群に当てられたジャンルについて指定されているプレビュー指定データに基づき編集される。
【００１０】
それゆえに、ユーザは所望のデータ群を指定すると、該データ群のジャンルに応じたプレビュー指定データに基づき編集されたプレビュー画像を表示させることができて、指定したデータ群の内容をジャンルに応じて編集されたプレビュー画像で確認することができる。
【００１１】
好ましくは、外部からの操作に基づき、ジャンル毎にプレビュー指定データを記録するプレビュー記録手段をさらに備える。
【００１２】
したがって、ユーザは外部から操作することでプレビュー画像を編集するためのプレビュー指定データを与えることができる。
【００１３】
好ましくは、プレビュー記録手段は、情報記録再生装置のユーザのそれぞれに対応して、ジャンル毎にプレビュー指定データを記録するユーザプレビュー記録手段を含み、プレビュー編集手段は、現在装置を使用しているユーザに対応して、ジャンル特定手段によって特定されたジャンルについて予め記録されたプレビュー指定データに基づき、指定されたデータ群の映像データの一部を構成する画像のデータを、前記プレビュー画像として編集するユーザプレビュー編集手段を含む。
【００１４】
したがって、ユーザプレビュー記録手段により装置のユーザ毎に、各ジャンルのプレビュー指定データをもつことができるので、ユーザプレビュー編集手段により、現在装置を使用するユーザに特有のプレビュー指定データを適用してジャンルごとのプレビュー画像を編集できる。
【００１５】
好ましくは、プレビュー画像は動画または静止画の画像である。
【００１６】
好ましくは、データ群には、ジャンルは外部からの操作により当てられる。したがって、ユーザはデータ群について、外部から操作して所望するジャンルを当てることができる。
【００１７】
好ましくは、データ群が放送番組のデータ群である場合には、放送される電子番組ガイドに基づき該放送番組について特定されたジャンルが当てられる。
【００１８】
したがって、放送番組のデータ群である場合には、そのジャンルはユーザがわざわざ特定しなくとも、放送されている電子番組ガイドに基づき自動的に特定することができる。
【００１９】
好ましくは、プレビュー指定データは、データ群のリジュームポイントを指すデータを含む。したがって、表示されるプレビュー画像を、前回の再生停止時の位置であるリジュームポイントに基づき編集された画像として提供することができる。
【００２０】
この発明の他の局面に従う、予め準備された記録媒体に記録した映像データを含む１つ以上のデータ群を再生する情報記録再生方法は、記録媒体に記録された１つ以上のデータ群のうちから指定されたデータ群に予め当てられているジャンルを特定するジャンル特定ステップと、ジャンル特定ステップによって特定されたジャンルについて予め記録されたプレビュー指定データに基づき、指定されたデータ群の映像データの一部を構成する画像のデータを、表示のためのプレビュー画像として編集するプレビュー編集ステップとを備える。
【発明の効果】
【００２１】
本発明では、記録媒体に記録されて指定されたデータ群について表示されるプレビュー画像は、該データ群に当てられたジャンルについて指定されているプレビュー指定データに基づき編集される。それゆえに、ユーザは所望のデータ群を指定すると、該データ群のジャンルに応じたプレビュー指定データに基づき編集されたプレビュー画像を表示させることができて、指定したデータ群の内容をジャンルに応じて編集されたプレビュー画像で確認することができる。
【発明を実施するための最良の形態】
【００２２】
以下、この発明の実施の形態について図面を参照し詳細に説明する。
【００２３】
図１はこの発明の実施の形態に係る情報記録再生装置を内蔵するデジタル放送受信装置のブロック構成図である。図２と図３は本実施の形態に係る処理手順を示すフローチャートである。図４は、ハードディスクの内容例を示す図である。図５は、タイトル管理テーブルの一例を示す図である。図６は、プレビュー切替管理テーブルの一例を示す図である。図７と図８（Ａ）および（Ｂ）は、本実施の形態に係る表示例を示す図である。
【００２４】
本実施の形態に係る情報記録再生装置は、図１に示すデジタル放送受信装置１に内蔵されている。デジタル放送受信装置１は、外部のアンテナ１７を介してデジタル放送信号ＤＳを受信して、受信信号から指定されたチャンネルの信号を抽出するチューナ２、チューナ２を介して入力されたデジタル信号を含む情報をハードディスク４に記録したり、ハードディスク４から情報を読出したりするディスクドライブ３、デジタル放送受信装置１内の各部を制御するためのＣＰＵ（Central Processing Unit）５、プレビュー切替管理テーブル６１を含む各種のデータおよびプログラムを格納するメモリ６、計時するためのタイマ７、操作内容および装置の動作情報などを表示して報知するための表示部８、ユーザが指令を与えるために操作する操作部９、外部のリモコン（リモートコントローラの略）１１をユーザが操作することにより送信される赤外線の指令信号やデータ信号を受信してＣＰＵ５に出力するリモコン受信部１０、チューナ２から出力された信号またはハードディスク４からディスクドライブ３を介して読出された信号を入力してデコード（復号）処理して出力するデコーダ１３、デコーダ１３の出力信号を入力して外部に接続されたモニタ１６において出力可能な映像信号または音声信号に処理して出力する映像・音声出力処理部１５、エンコーダ１８およびＥＰＧ（Electric Program Guide）抽出部１９を備える。
【００２５】
エンコーダ１８はチューナ２から出力される信号を符号化して、デジタル情報としてディスクドライブ３に与えるので、ディスクドライブ３はこれを入力してハードディスク４に記録する。
【００２６】
ＥＰＧ抽出部１９はチューナ２が受信するデジタル放送信号ＤＳからＥＰＧの信号を抽出してデータとしてＣＰＵ５に与える。ＥＰＧデータは、放送番組について番組名、放送局（放送チャンネル）、放送時間帯、ジャンル（ニュース、ドラマ、スポーツ、アニメーションなどの種別）を示すデータを含んでいる。
【００２７】
デコーダ１３はＯＳＤ（On Screen Display）１４を有する。ＯＳＤ１４は、ＣＰＵ５から与えられるグラフィックデータに基づいてモニタ１６に表示される画像を生成して、映像・音声出力処理部１５に出力するので、映像・音声出力処理部１５は該グラフィックデータによる画像をモニタ１６に表示中の画像に重畳して表示する。
【００２８】
リモコン１１にはチューナ２による受信チャンネルを切替えるためやデータを入力するために操作される操作部（図示せず）の他に、デジタル放送受信装置１の動作モードを切替えるためのモード切替スイッチ１２およびモニタ１６に表示されるカーソルを移動させるために操作されるカーソルキー２０を有する。
【００２９】
図４を参照して、ハードディスク４は管理領域Ｅ１とデータ領域Ｅ２を含む。管理領域Ｅ１には、データ領域Ｅ２に格納されるデータを管理するためのタイトル管理テーブル４１を含む各種情報が格納される。データ領域Ｅ２には映像データを含む時系列のデータ群である番組データが格納される。デジタル放送受信装置１が受信したデジタル放送信号ＤＳによる番組データをハードディスク４に記録する記録動作モードにあるとき、番組データは、アンテナ１７、チューナ２、エンコーダ１８およびディスクドライブ３の経路を介してハードディスク４の領域Ｅ２に格納される。
【００３０】
ＣＰＵ５は、アンテナ１７、チューナ２およびＥＰＧ抽出部１９を介してＥＰＧデータを入力すると、入力したＥＰＧデータから、記録された番組データについて、記録のビットレート、そのチャンネル番号（放送局）ならびにタイマ７が計時している放送時間などに基づき特定した、番組のタイトル名およびジャンルの情報を特定してを抽出し、ディスクドライブ３を介してタイトル管理テーブル４１に記録するよう制御する。記録のビットレートは単位ｂｐｓ（bit/sec）で示されて、記録動作モード時に指定される記録モード（標準、３倍速などの別）で一意に特定される。
【００３１】
データ領域Ｅ２に記録される番組データは、ここで説明を簡単にするためにデジタル放送信号ＤＳを受信することにより得られた番組データとしているが、これに限定されず、図示のない外部装置からケーブルなどを介して受信した番組データであってもよい。外部装置から番組データを受信する場合には、そのタイトル名、ジャンル、記録モードなどの情報は該番組データと共に受信すると想定する。
【００３２】
タイトル管理テーブル４１は、図５に示されるように、データ領域Ｅ２に格納されている各番組データのそれぞれに対応してタイトル管理データＢｊ（ｊ＝１、２、３、…、ｍ）を有する。
【００３３】
タイトル管理データＢｊは、対応の番組データについてタイトルを示すタイトル名データＣ１、ジャンルを示すジャンルデータＣ２、記録モードデータＣ３、先頭および末尾アドレスデータＣ４およびＣ５を含む。
【００３４】
記録モードデータＣ３は、該番組データがデータ領域Ｅ２に標準モード、３倍速モードなどのように、記録のビットレートを特定する記録モードの別を表わすデータである。
【００３５】
先頭アドレスデータＣ４は、対応の番組データのデータ領域Ｅ２における先頭のアドレスを示し、末尾アドレスデータＣ５は、対応の番組データのデータ領域Ｅ２における末尾（最終）のアドレスを示す。ここでは、説明を簡単にするために、各番組データはデータ領域Ｅ２に飛び飛びではなく時系列に連続して記録されると想定する。したがって、先頭アドレスデータＣ４から末尾アドレスデータＣ５で示される連続した領域に対応の番組データが記録されていることを示す。
【００３６】
図６を参照して、プレビュー切替管理テーブル６１の内容について説明する。プレビュー切替管理テーブル６１は、デジタル放送受信装置１のユーザのそれぞれに対応して、プレビュー切替データＡｉ（ｉ＝１、２、３、…、ｎ）を有する。
【００３７】
プレビュー切替データＡｉは、ユーザデータＤ１、ジャンルデータＤ２およびプレビュー指定データＤ３を含む。ユーザデータＤ１は、対応のユーザを一意に識別するためのデータである。ジャンルデータＤ２は複数のジャンルを示すデータである。
【００３８】
プレビュー指定データＤ３は、対応のジャンルデータＤ２で示す複数のジャンルそれぞれについて、該ジャンルに該当の番組データをユーザにプレビュー画像としてモニタ１６を介して提示する場合に、該番組データの映像データの部分データ基づいてプレビュー画像を編集して作成するために、編集の対象となる部分データを指定するためのデータである。ここでは、ジャンルが“ドラマ”であれば該番組データのラスト１０分前から５分前の部分データを指定している。また、ジャンルが“アニメーション”であれば、同様に最初の３分間の部分データを指定している。また、ジャンルが“スポーツ”であれば、同様に該番組データの１０分毎に１分ずつの部分データを指定している。
【００３９】
次に、図３のフローチャートに従い、図８（Ａ）と（Ｂ）の表示画面例を参照しながら、プレビュー切替管理テーブル６１へのプレビュー切替データＡｉの登録の手順について説明する。図８（Ａ）と（Ｂ）の画像は通常はモニタ１６に表示中の画像（または映像）に重畳して表示されるが、ここではモニタ１６の画面には図８（Ａ）と（Ｂ）の画像のみが表示されていると想定する。
【００４０】
まず、ユーザは、リモコン１１のモード切替スイッチ１２を操作して、プレビュー切替データ設定モードを指定する（ステップＳ（以下、単にＳと略す）１０）。ＣＰＵ５は、モード切替スイッチ１２の操作によるプレビュー切替データ設定モードを指定する指令信号をリモコン受信部１０を介して受信すると、図８（Ａ）のようなプレビュー設定切替のための画面をＯＳＤ１４および映像・音声出力処理部１５を介してモニタ１６に表示する。
【００４１】
図８（Ａ）では、メッセージＭ０が表示されてユーザに対して予め割当てられているユーザ識別番号（ここでは、ユーザＩＤという）を入力するよう促す。図８（Ａ）の画面を見たユーザが、リモコン１１を操作して自己のユーザＩＤを入力すると、入力したユーザＩＤの信号はリモコン受信部１０を介してＣＰＵ５に与えられる。ＣＰＵ５はユーザＩＤが入力されたことを確認すると（Ｓ１１でＹＥＳ）、図８（Ｂ）のためのグラフィックデータをＯＳＤ１４に与えるので、ＯＳＤ１４および映像・音声出力処理部１５を介してモニタ１６に図８（Ｂ）の画面が表示される。図８（Ｂ）の画面においては、メッセージＭ１〜Ｍ４が表示されている。ユーザはメッセージＭ１〜Ｍ４を読みながら、メッセージの指示に従いリモコン１１のボタン操作をすることにより自己のプレビュー切替データＡｉを入力することができる（Ｓ１２）。
【００４２】
具体的には、メッセージＭ１に従い、ジャンルを指定する。ここでは、たとえばカーソルキー２０を操作してジャンルデータＤ２について“ドラマ”が指定された様子が示される。続いてメッセージＭ２に従い、指定したジャンルについてのプレビュー指定データＤ３としてプレビュー時間を、たとえば、リモコン１１を操作して、“ラスト１０分前〜５分前”と指定している。
【００４３】
次に、これら指定したデータをプレビュー切替データＡｉとして登録してよいか否かを問合せるメッセージＭ３に従い、たとえば“決定”を指定する操作をすると、ＣＰＵ５は、入力されたジャンルおよびプレビュー時間を、プレビュー切替管理テーブル６１のステップＳ１１で入力した該ユーザＩＤに対応のユーザデータＤ１のプレビュー切替データＡｉとして登録する（Ｓ１３）。つまり、ジャンルデータＤ２中のステップＳ１２で入力されたジャンルに対応するジャンルのプレビュー指定データＤ３として、ステップＳ１２で入力されたプレビュー時間を登録する。
【００４４】
このとき、同一種類のジャンルについて既にプレビュー指定データＤ３が登録済みならば、該ジャンルについてのプレビュー指定データＤ３は今回入力された内容により更新される。また、ジャンルデータＤ２において入力されたジャンルが未登録であれば、入力されたジャンルとプレビュー時間データはジャンルデータＤ２およびプレビュー指定データＤ３として対応付けされて新規に登録される。
【００４５】
その後、ユーザはメッセージＭ４を参照して、次のジャンルについての指定を行なうかどうかの操作をする。このとき、カーソルキー２０を操作してメッセージＭ４の“ＮＯ”を指定すると、一連の入力処理は終了する（Ｓ１４でＹＥＳ）。一方、メッセージＭ４の“ＹＥＳ”を指定すると、処理はＳ１２に戻り、次のジャンルについて同様にデータが指定される。
【００４６】
以上の手順に従い、デジタル放送受信装置１のユーザのそれぞれは、所望に応じたプレビュー切替データＡｉを設定することができる。
【００４７】
次に、上述のようにしてプレビュー切替管理テーブル６１およびタイトル管理テーブル４１に必要なデータが格納され、データ領域Ｅ２には番組データが記録されていると想定して、プレビュー表示をする手順について図２のフローチャートに従い、図７の画面を参照し説明する。図７の画面の画像は通常はモニタ１６に表示中の画像（または映像）に重畳して表示されるが、ここではモニタ１６の画面には図７の画像のみが表示されていると想定する。
【００４８】
ユーザは、リモコン１１のモード切替スイッチ１２を操作してタイトル一覧表示モードに切替える（Ｓ１でＹＥＳ）。
【００４９】
ＣＰＵ５は、タイトル一覧表示モードの切替え指令をリモコン受信部１０を介して受信すると、タイトル一覧表示モードに移行する。タイトル一覧表示モードに移行したとき、まず、タイトル管理テーブル４１を検索して、データ領域Ｅ２に格納されている各番組データについてのタイトル名データＣ１を読出す。ＣＰＵ５は読出したタイトル名データＣ１を用いて図７の画面のためのグラフィックデータを生成し、ＯＳＤ１４に与えるので、ＯＳＤ１４および映像・音声出力処理部１５により図７のプレビュー番組のタイトル一覧の画面がモニタ１６に表示される（Ｓ２）。
【００５０】
図７の画面では、領域２２においてメッセージＭ５が表示され、領域２３において、読出されたタイトル名データＣ１によるタイトルが一覧表示され、さらにはプレビューウインドウ２１が同一画面において表示されている。
【００５１】
領域２２のメッセージＭ５により、ユーザはユーザＩＤを入力して、プレビューを所望する番組のタイトルを指定することが促される。ユーザがメッセージＭ５に従いユーザＩＤをリモコン１１を操作して入力するとともに領域２３において表示されているタイトル一覧の中から、プレビューを所望する番組のタイトルをカーソル２０を操作して指定する（Ｓ３）。ここでは領域２３のタイトルのうち指定されたタイトル、たとえば‘タイトル３’は反転表示されて、ユーザに所望タイトルが指定されたことを報知している。
【００５２】
ユーザＩＤが入力されタイトルが指定されると（Ｓ３でＹＥＳ）、ＣＰＵ５は指定タイトルの番組データのジャンルを特定する（Ｓ４）。具体的には、ＣＰＵ５は、入力されたタイトルに基づきタイトル管理テーブル４１を検索して、入力タイトルを示すタイトル名データＣ１のタイトル管理データＢｊを特定して、特定したタイトル管理データＢｊのジャンルデータＣ２を読出す。これにより、指定タイトルの番組のジャンルが特定される。
【００５３】
また、ＣＰＵ５は、入力されたユーザＩＤに基づきプレビュー切替管理テーブル６１を検索し、該ユーザＩＤに一致するユーザデータＤ１のプレビュー切替データＡｉを特定する。続いて、ＣＰＵ５は特定したプレビュー切替データＡｉにおけるジャンルデータＤ２において、先に読出しておいたジャンルデータＣ２が示すジャンルを特定して、これに対応するプレビュー指定データＤ３の内容を読出す。
【００５４】
そして、ＣＰＵ５は、読出したプレビュー指定データＤ３の内容に基づき、プレビュー画像のデータを編集して作成する（Ｓ５）。具体的には、Ｓ４で特定したタイトル管理データＢｊの記録モードデータＣ３、先頭アドレスデータＣ４および末尾アドレスデータＣ５を用いて入力（指定）されたタイトルの番組データの、特定したプレビュー指定データＤ３の内容に基づき指定される部分データに基づきプレビュー画像のデータを編集する。たとえば、特定したプレビュー指定データＤ３の内容が“最初の３分”を指示しているならば、領域Ｅ２の先頭アドレスデータＣ４のアドレスから（記録モードデータＣ３×３分）に相当する長さの領域に記憶されたデータ（番組データの部分データ）を読出して、これをプレビュー画像のための部分データとする。
【００５５】
そしてＣＰＵ５は、作成したプレビュー画像のデータをデコーダ１３に与えるので、プレビュー画像のデータは復号されて映像・音声出力処理部１５を介してモニタ１６のプレビューウインドウ２１にプレビュー画像データに基づく映像が表示される（Ｓ６）。
【００５６】
ユーザが、プレビューウインドウ２１のプレビュー画像を見て、別のタイトルの番組データのプレビュー画像を見たいと要求するときは領域２３の次のタイトルを指定する操作をリモコン１１を介してするけれども、その要求がないときは指定操作はしない。ＣＰＵ５はリモコン１１からの指令信号に基づき次のタイトルが指定されたか否かを判定する（Ｓ７）。次のタイトル指定がなければ（Ｓ７でＮＯ）一連の処理は終了するけれども次のタイトルが指定されたならば（Ｓ７でＹＥＳ）、Ｓ４の処理に戻り、新たに指定されたタイトルの番組データについてプレビュー表示にための同様の処理が繰返される。
【００５７】
ここでは、プレビュー指定データＤ３は、ユーザが任意に設定切替できるとしているけれども、システム側がデフォルトで一意に決めておくようにしてもよい。
【００５８】
また、ここでは、番組データが記録される媒体はハードディスクとしているけれども、ＤＶＤ（Digital Versatile Disc）であってもよい。
【００５９】
また、ここではプレビュー切替管理テーブル６１はメモリ６に格納するとしているけれどもハードディスク４に記録するようにしてもよい。
【００６０】
また、プレビュー指定データＤ３で指示されるプレビューの表示方法は、ラスト１０分から５分前などの時間の観点に基づくものであったが、これに限定されない。たとえば、ジャンルによっては動画の映像ではなく静止画の映像をプレビュー表示するように切替えてもよいし、ジャンルによっては、番組データの再生を一時停止したリジウムポイントすなわちハードディスク４上の再生を停止した位置のアドレスのデータに基づく画像をプレビュー表示するようにしてもよい。
【００６１】
また、放送信号ＤＳによる番組データを記録するときは、該番組についてユーザにより予めジャンルが設定されていないときはＥＰＧにより特定したジャンルを設定するようにして、ユーザが予めジャンルを設定しているときはそちらを優先するようにしてもよい。
【００６２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６３】
【図１】この発明の実施の形態に係るデジタル放送受信装置のブロック構成図である。
【図２】この発明の実施の形態に係る処理手順のフローチャートである。
【図３】この発明の実施の形態に係る処理手順のフローチャートである。
【図４】この発明の実施の形態に係るハードディスクの内容例を示す図である。
【図５】この発明の実施の形態に係るタイトル管理テーブルの内容例を示す図である。
【図６】この発明の実施の形態に係るプレビュー切替管理テーブルの内容例を示す図である。
【図７】この発明の実施の形態に係るモニタ画面の表示例を示す図である。
【図８】（Ａ）と（Ｂ）はこの発明の実施の形態に係るモニタ画面の表示例を示す図である。
【符号の説明】
【００６４】
１  デジタル放送受信装置、２  チューナ、３  ディスクドライブ、４  ハードディス、５  ＣＰＵ、１１  リモコン、１６  モニタ、４１  タイトル管理テーブル、６１  プレビュー切替管理テーブル、Ａｉ  プレビュー切替データ、Ｂｊ  タイトル管理データ、Ｃ１  タイトル名データ、Ｃ２  ジャンルデータ、Ｃ３  記録モードデータ、Ｃ４  先頭アドレスデータ、Ｃ５  末尾アドレスデータ、Ｄ１  ユーザデータ、Ｄ２  ジャンルデータ、Ｄ３  プレビュー指定データ。
【図１】
2005339596.tif 000003
【図２】
2005339596.tif 000004
【図３】
2005339596.tif 000005
【図４】
2005339596.tif 000006
【図５】
2005339596.tif 000007
【図６】
2005339596.tif 000008
【図７】
2005339596.tif 000009
【図８】
2005339596.tif 000010